(57)【要約】【課題】お湯の刺激感のない脚温浴ができ、使い勝手の良い脚温浴器を得る。【解決手段】上面が開口したお湯を入れる樹脂製の内容器１の外面側に発熱体２を取り付け、その外側を樹脂製の外容器３で覆うとともに、前記内容器１の上面開口部を覆う蓋４とからなる脚温浴器において、蓋４の一部を下方向に凹状に形成した湯受け部４ａを設け、この湯受け部４ａの底面に内容器１と連通する穴５及び陽イオン交換樹脂６を設けた脚温浴器。【選択図】　図１
2004033510.tif 000002
【特許請求の範囲】
【請求項１】
上面が開口した湯を入れる樹脂製の内容器（１）の外面側に発熱体（２）を取り付け、その外側を樹脂製の外容器（３）で覆うとともに、前記内容器（１）の上面開口部を覆う蓋（４）を設けてなる脚温浴器において、蓋（４）に一部を下方向に凹状に形成した湯受け部（４ａ）を設け、この湯受け部（４ａ）の底面に内容器（１）と連通する穴（５）及び陽イオン交換樹脂（６）を設けたことを特徴とする脚温浴器。
【請求項２】
陽イオン交換樹脂（６）は通水可能なケース（７）に収納するとともに、蓋（４）に対して着脱自在に装着したことを特徴とする請求項１記載の脚温浴器。
【発明の詳細な説明】
【０００１】
【発明の属する技術分野】
本発明は、湯を用いて脚を温める脚温浴器に関し、詳しくは湯を軟水化することにより使用感を向上させた脚温浴器に関するものである。
【０００２】
【従来の技術】
従来のこの種の脚温浴器として実用化されているものに、図２に示すようなものがある（例えば特開平１０−００５３０７号公報）。その構成は、上面が開口した内容器１底部裏面にコード状ヒーターやフィルム状ヒーター、シーズヒーター等を熱源とする発熱体２を設けるとともに、前記発熱体２を覆う外容器３と、発熱量を設定する設定手段８、および内容器１の内側底面に設けて脚を乗せる脚乗せ台９からなっている。
【０００３】
このものは内容器１には適当な温度（３８℃〜４５℃）に温めた湯１０を適量注ぎ、それに浴用薬剤を溶かし、設定手段８により好みの湯温を設定して、図３に示すような椅子１１に腰掛けた姿勢でその中に両脚を浸し、適当な時間保持することによって湯１０のエネルギーと浴用薬剤の作用で脚の皮膚を通して人体を加温し、血液の流れにより全身に湯の熱や薬剤の作用を伝え、血行を良くして疲労回復、健康の維持、増進を図るものである。
【０００４】
【発明が解決しようとする課題】
前記従来例の脚温浴器は、水道水等をそのまま加温し、湯１０として使用しているため、例えばカルシウム、マグネシウム等のミネラル分の含有量が多い場合、すなわち水の硬度の高い地域の場合は、湯１０に脚を浸したときにカルシウム、マグネシウム等の硬度分が皮膚を刺激してチクチク感を与え、使用感が悪いという問題点があった。これは一般的に入浴するときに最初に入る「一番風呂」は刺激が強いと言われているもので、硬度が高いほど刺激感が強く出易いものである。
【０００５】
また、脚温浴器を使用したときに保温、保湿作用や清浄作用などの温泉水同様の効果をもたせるために、浴用薬剤中に湯１０の中での保温、保湿や清浄のため有効に働くナトリウムイオンを得るため、炭酸水素ナトリウムや無水硫酸ナトリウム等を添加していた。
【０００６】
【課題を解決するための手段】
本発明は上記の課題を解決するためになされたもので、上面開口部を覆う蓋を下方向に略凹状に形成し、その底面に内容器と連通する穴を設け、さらに通水性のケース等に収納した陽イオン交換樹脂を着脱自在に装着したものである。
【０００７】
【発明の実施の形態】
本発明は、上面が開口したお湯を入れる樹脂製の内容器の外面側に発熱体を取り付け、その外側を樹脂製の外容器で覆うとともに、前記内容器の上面開口部を覆う蓋とからなる脚温浴器において、蓋の一部を下方向に凹状に形成した湯受け部を設け、この湯受け部の底面に内容器と連通する穴及び陽イオン交換樹脂を設けた脚温浴器としたものである。
【０００８】
また、陽イオン交換樹脂は通水可能なケースに収納するとともに、蓋に対して着脱自在に装着したものである。
【０００９】
本発明は、このような構成としたことにより、適当な温度に温めた湯を略凹状に形成した蓋の湯受け部に注ぐと、その湯は湯受け部底面部に設けてある穴を通過し、さらにケースに収納された陽イオン交換樹脂を通過して内容器内に貯留される。
【００１０】
そのとき陽イオン交換樹脂中のナトリウムイオンは湯中のカルシウム、マグネシウム等の陽イオンと交換反応を示して、カルシウム、マグネシウムイオンは陽イオン交換樹脂内に取り込まれ、逆にナトリウムイオンは湯中に放出される。このようにして内容器に貯留した湯はカルシウム、マグネシウムイオンが取り除かれるので硬度の低い軟水が得られるとともに、保温、保湿作用などに有効なナトリウムイオンは豊富に得ることができる。
【００１１】
【実施例】
以下本発明の一実施例を図面に基づいて詳細に説明する。図１は本発明の一実施例を示す脚温浴器の断面図である。
【００１２】
図において、１は上面が開口した箱状の内容器で、耐熱温度が１２０℃程度のポリプロピレン樹脂等の電気絶縁材料により形成され、使用者の両脚を収納するのに適した容積を有している。２は内容器１の底部外面に設けたコード状の発熱体で、電熱線をガラス等で構成した芯糸に巻き、シリコンゴム等の電気絶縁材料で被覆されており、その飽和温度は１００℃以下になるよう設定されている。３は外容器で、ポリプロピレン樹脂等の電気絶縁材料により形成され、外郭を構成している。
【００１３】
４は内容器１の上面を覆う蓋で、ポリプロピレン樹脂等で形成され、この蓋４の一部に下方向に略凹状に形成した湯受け部４ａが設けられている。また、蓋４は内容器１の上面に着脱自在に取り付けられている。さらに凹状の湯受け部４ａの底面には内容器１と連通する穴５を設け、その穴５に密着して通水可能なケース７に収納した陽イオン交換樹脂６が着脱自在に装着されている。
【００１４】
９は脚乗せ台であり、内容器１の底部に載置し、脚が直接内容器１底部に密着しないようにするためにポリプロピレン樹脂等により形成され、脚を乗せる板状部とそれを支える複数個の支持部よりなっている。
【００１５】
１２は制御体で、発熱体２の出力をサーミスタの抵抗変化を利用して湯温を３８℃〜４５℃程度に保つよう制御している。８はダイヤル等の設定手段で、使用者が湯の温度を適当にセットするためのものであり、外部に露出している。１３は温度過昇防止装置としての温度ヒューズで、内容器１の底部外面に取り付けられており、制御体１２が故障した際の安全装置として発熱体２の異常過熱を防止する。
【００１６】
本発明は以上の構成よりなっており、使用方法はあらかじめ適当な温度に調整した湯１０を略凹状に形成された蓋４の湯受け部４ａに注ぐと、湯１０は穴５を経由してケース７に収納した陽イオン交換樹脂６内を通過する。ここで硬度分が除去された軟水になるとともにナトリウムイオンが放出された湯１０が内容器１に貯留する。
【００１７】
使用者は電源を接続し、設定手段８を好みの温度にセットする。これによって発熱体２に通電が開始され、内容器１の底部が加熱されると、底に接する湯１０も加熱されて上昇し、脚乗せ台９の裏面に当って四方に分散して上昇し撹拌され対流する。
【００１８】
設定された温度に達すると制御体１２が通電動作を制御して湯１０の温度を一定に保持する。使用者は、椅子等に腰掛けて湯１０の中の脚乗せ台９に脚を乗せて約２０分その状態を保つものであるが、蓋４は、湯１０の無駄な放熱を防ぐため、内容器１の開口部にセットしておいても良い。
【００１９】
なお、陽イオン交換樹脂６は長期間通水を繰り返し、一定量の交換をすると飽和状態となるため、取り込まれた硬度分を除去し、ナトリウムイオンを取り込む再生処理が必要となる。その再生処理は、陽イオン交換樹脂６内を、その陽イオン交換樹脂６容積の約１．５倍相当量で濃度が１０％前後の食温水をゆっくりと通水させるか、濃度が１０％前後の食温水中に浸漬して、振動を与えることにより再生され、繰り返し使用できるものである。
【００２０】
【発明の効果】
本発明によれば、蓋に凹状の湯受け部を形成し、その底面に内容器と連通する穴を設けて陽イオン交換樹脂を設けたので、簡単に軟水が得られ、硬度の高い地域でもチクチクとした刺激感のない脚温浴ができる。また、ナトリウムイオンが豊富なため、浴用薬剤を使用しなくても保温性や保湿性に優れた温泉効果が得られるものである。
【００２１】
さらに、陽イオン交換樹脂を蓋と着脱自在に装着したので、陽イオン交換樹脂の再生処理がし易く、寿命時の交換も簡単にできる等使い勝手の良い脚温浴器が提供できるものである。
【図面の簡単な説明】
【図１】本発明の一実施例を示す脚温浴器の断面図である。
【図２】従来例を示す脚温浴器の断面図である。
【図３】脚温浴器の使用状態を示す側面図である。
【符号の説明】
１：内容器
２：発熱体
３：外容器
４：蓋
４ａ：湯受け部
５：穴
６：陽イオン交換樹脂
７：ケース
【図１】
2004033510.tif 000003
【図２】
2004033510.tif 000004
【図３】
2004033510.tif 000005